(57)【要約】【課題】  ベッドの床部上に快適な空調空間を形成しようとする従来のものは、いずれも冷風又は温風を枕元側において直接的にベッド使用者に吹き出す構成であるので、不快感を与えると共に、近くに設置されている送風機やコンプレッサ等の動作音により不快感を与えてしまう。またベッドの上方空間が開放されているので、空調空気を吹き出しての空調では熱損失が大きく、十分な空調効果を得るためには部屋全体の空調を行える程度の空調空気を供給する必要があり、エネルギー消費が大きく、エネルギー効率が低い。【解決手段】  そこで本発明では、ベッド１の床部２の上方と側方に空気を吹き出してエアーカーテンを形成する吹出口群８ａ〜８ｅを設けると共に、ヘッドボード６とフットボード７の少なくとも一方側の内面側に面熱源９を設けたベッド装置を提案している。【選択図】    図２
2006043333.tif 000002
【特許請求の範囲】
【請求項１】
ベッドのヘッドボードとフットボードの少なくとも一方側の内面側に面熱源を設けたことを特徴とするベッド装置
【請求項２】
ベッドの床部の上方と側方に空気を吹き出してエアーカーテンを形成する吹出口群を設けたことを特徴とするベッド装置
【請求項３】
ベッドの床部の上方と側方に空気を吹き出してエアーカーテンを形成する吹出口群を設けると共に、ヘッドボードとフットボード少なくとも一方側の内面側に面熱源を設けたことを特徴とするベッド装置
【請求項４】
上方のエアーカーテンを形成する吹出口群をヘッドボードとフットボードの少なくとも一方側の上部内面側に横方向に配置すると共に、側方のエアーカーテンを形成する吹出口群をヘッドボードとフットボードの少なくとも一方側の側部内面側に縦方向に配置して、夫々の吹出口群から他のボード方向に空気を吹き出す構成としたことを特徴とする請求項２又は３に記載のベッド装置
【請求項５】
上方のエアーカーテンを形成する吹出口群をヘッドボードとフットボードの少なくとも一方側の上部内面側に横方向に配置して他のボード方向に空気を吹き出す構成とすると共に、側方のエアーカーテンを形成する吹出口群をベッドの床部の側縁側に横方向に配置して上方に空気を吹き出す構成としたことを特徴とする請求項２又は３に記載のベッド装置
【請求項６】
上方のエアーカーテンを形成する吹出口群をヘッドボードとフットボード少なくとも一方側の上部内面側に横方向に配置して他のボード方向に空気を吹き出す構成とし、側方のエアーカーテンを形成する吹出口群をヘッドボードとフットボードの少なくとも一方側の側部内面側に縦方向に配置すると共に床部の側縁側に横方向に配置して、ボードの側部内面側に縦方向に配置した吹出口群から他のボード方向に空気を吹き出す構成とすると共に、床部の側縁側に横方向に配置した吹出口群から上方に空気を吹き出す構成としたことを特徴とする請求項２又は３に記載のベッド装置
【発明の詳細な説明】
【技術分野】
【０００１】
本発明は、ベッドの床部の上方に快適な温（冷）熱環境を構成することができるベッド装置に関するものである。
【背景技術】
【０００２】
ベッドの床部上に仰臥している使用者に対して快適な温（冷）熱環境を提供するためのベッド装置が従来から各種提案されている。
【０００３】
例えば特許文献１は、空調装置により発生させた冷風又は温風をヘッド部の枕元付近に形成した開口部から吹き出す構成のベッドに関するものであり、空調装置はヘッド部に一体に組み込むことにより、空調装置を備えているにもかかわらず移動が自由になり、またベッドの設置に際して空調装置の設置工事を不要とすることができるというものである。また、このベッドでは、空調装置は熱電変換素子により構成しており、これにより冷風発生時に生じる排熱を室内に排出せずに蓄熱材に蓄えることにより、排熱により室内を暖めてしまって、ベッド使用者に不快感を与えることを防止するというものである。
【０００４】
また特許文献２は、特許文献１とは異なり、室外機を構成要素とする空調装置を設けたベッドを提案しているもので、このベッドは、その頭部に、熱交換器と送風機を格納した頭部収納箱を設置し、この送風機によって頭部収納箱の吸込グリルから吸い込んだ空気を熱交換器で冷却または暖房し、この冷却または暖房された空気を頭部収納箱の吹出グリルから直接的にベッド使用者の頭部近辺に送風する構成としている。
【０００５】
また特許文献３は、ベッドの上部左右側に支柱兼用のパネルを立設し、上部に天井パネルを載置固定すると共に、前後側にビニールカーテンで覆いを形成して、ベッドの上方に外部と隔離した空間を構成し、この空間に空気清浄機能付きの空調機からの清浄空気を供給するようにしたベッド装置を提案している。
【特許文献１】特開平６−５４７４０号公報
【特許文献２】特開平９−１００７５号公報
【特許文献３】特開２０００−３１６９１６号公報
【発明の開示】
【発明が解決しようとする課題】
【０００６】
上記特許文献１及び２は、いずれも冷風又は温風を枕元側において直接的にベッド使用者に吹き出す構成であるので、ベッド使用者に対して、直接の気流により不快感を与えると共に、枕元に装置されている空調装置の構成要素である送風機やコンプレッサ等の動作音により不快感を与えてしまう。
【０００７】
また上記特許文献１及び２は、ベッドの上方空間が開放されているので、空調空気を吹き出しての空調では熱損失が大きく、十分な空調効果を得るためには部屋全体の空調を行える程度の空調空気を供給する必要があり、エネルギー消費が大きく、エネルギー効率が低い。
【０００８】
一方、特許文献３のようにベッドの上部に、空調的に外部と隔離した空間を構成するものでは、少ないエネルギー消費で十分な空調効果を得ることができるが、隔離した空間をパネルやビニール等で構成するため、大掛りとなり、またベッド使用者に対して隔絶された違和感を与えてしまう。
そこで本発明は、このような課題を解決して、ベッドの床部の上方に快適な温（冷）熱環境を構成することのできるベッド装置を提供することを目的とするものである。
【課題を解決するための手段】
【０００９】
上述した課題を解決するために、まず本発明では、ベッドのヘッドボードとフットボードの少なくとも一方側の内面側に面熱源を設けたベッド装置を提案する。
【００１０】
また本発明では、ベッドの床部の上方と側方に空気を吹き出してエアーカーテンを形成する吹出口群を設けたベッド装置を提案する。
【００１１】
更に本発明では、ベッドの床部の上方と側方に空気を吹き出してエアーカーテンを形成する吹出口群を設けると共に、ヘッドボードとフットボードの少なくとも一方側の内面側に面熱源を設けたベッド装置を提案する。
【００１２】
そして本発明では、上記のエアーカーテンを形成するベッド装置において、上方のエアーカーテンを形成する吹出口群をヘッドボードとフットボードの少なくとも一方側の上部内面側に横方向に配置すると共に、側方のエアーカーテンを形成する吹出口群をヘッドボードとフットボードの少なくとも一方側の側部内面側に縦方向に配置して、夫々の吹出口群から他のボード方向に空気を吹き出す構成とすることを提案する。
【００１３】
また本発明では、上記のエアーカーテンを形成するベッド装置において、上方のエアーカーテンを形成する吹出口群をヘッドボードとフットボードの少なくとも一方側の上部内面側に横方向に配置して他のボード方向に空気を吹き出す構成とすると共に、側方のエアーカーテンを形成する吹出口群をベッドの床部の側縁側に横方向に配置して上方に空気を吹き出す構成とすることを提案する。
【００１４】
また本発明では、上記のエアーカーテンを形成するベッド装置において、上方のエアーカーテンを形成する吹出口群をヘッドボードとフットボード少なくとも一方側の上部内面側に横方向に配置して他のボード方向に空気を吹き出す構成とし、側方のエアーカーテンを形成する吹出口群をヘッドボードとフットボードの少なくとも一方側の側部内面側に縦方向に配置すると共に床部の側縁側に横方向に配置して、ボードの側部内面側に縦方向に配置した吹出口群から他のボード方向に空気を吹き出す構成とすると共に、床部の側縁側に横方向に配置した吹出口群から上方に空気を吹き出す構成とすることを提案する。
【発明の効果】
【００１５】
本発明のベッド装置では、ベッド使用者に温（冷）熱を供給する手段として、ヘッドボードとフットボードの少なくとも一方側の内面側に面熱源を設けているので、温（冷）風を枕元に供給するためのコンプレッサのような空調装置の構成要素をベッド使用者の頭部の近傍に設置することが不要であり、従ってその動作音による騒音の問題がなく、快適な睡眠に不可欠な静音性を確保することができると共に、強制対流による温（冷）風が直接的に身体に当たらないため不快感を感じさせない。
【００１６】
また本発明のベッド装置では、吹出口群によりベッドの床部の上方と側方に空気を吹き出してエアーカーテンを形成することにより、ベッドの床部の上方に、温（冷）熱的に外部から隔離された空間を形成することができる。従ってこのエアーカーテンによって形成された空間内に適宜の温（冷）熱供給手段により温（冷）熱を供給した場合に、熱損失が少ないため、少ないエネルギーで、ベッドの床部の上方に快適な温（冷）熱環境を構成することができる。
【００１７】
エアーカーテンは、ヘッドボードとフットボードの少なくとも一方側の上部内面側に横方向に配置して、他のボード方向に空気を吹き出す構成の吹出口群、ヘッドボードとフットボードの少なくとも一方側の側部内面側に縦方向に配置して、他のボード方向に空気を吹き出す構成の吹出口群及びベッドの床部の側縁側に横方向に配置して上方に空気を吹き出す構成の吹出口群を適宜に選択して形成することができる。
【００１８】
上記吹出口群から空気を吹き出すためのファン等の空気源はベッド使用者の頭部から離れた個所に設置することにより、空気源から発生する騒音の問題が生じない。
【発明を実施するための最良の形態】
【００１９】
エアーカーテンによって形成された空間内に温（冷）熱を供給する手段としては、上述したようにヘッドボードとフットボードの少なくとも一方側の内面側に設けた面熱源とすることにより、夫々の相乗作用により、非常に良好な温（冷）熱環境を構成することができる。
【実施例１】
【００２０】
次に本発明の実施例を添付図面を参照して説明する。
図１〜図５は本発明に係るベッド装置の実施例を示すものであり、図１は主要構成を示す斜視図、図２は使用状態の斜視図、図３は図２のＡ−Ａ線断面図、図４は図３のＢ−Ｂ線一部断面図、図５は操作・表示パネル部の一例図である。
図において、符号１はベッドを示すもので、２は床部である。この実施例において、床部１はベッドフレーム３に形成した凹部４にマットレス５等を嵌めて載置した構成としている。
【００２１】
符号６はヘッドボード、７はフットボードであり、ヘッドボード６には上部内面側に横方向に配置した第１の吹出口群８ａと、側部内面側に縦方向に配置した第２、第３の吹出口群８ｂ，８ｃを設けている。またヘッドボード６とフットボード７には、それらの内面側に図中破線で示す面熱源９を設けている。上述したとおり、面熱源９は、この実施例のようにヘッドボード６とフットボード７の両方側に設ける他、いずれか一方側にのみ設けるようにしても良い。
【００２２】
次に面熱源９の例を説明すると、まず温熱専用の面熱源としては、セラミックヒータや電熱線を装置したパネル状に構成した温熱パネル等を利用することができ、また温熱と冷熱の両方の面熱源としては、作動流体としての水（温水又は冷水）やその他の冷媒を流すパイプを装置してパネル状に構成した温冷熱パネルや、ペルチェ素子等の熱電素子を装置してパネル状に構成した温冷熱パネルを利用することができる。
【００２３】
一方、床部２の側縁側、この場合、ベッドフレーム３の側縁側には、長さ方向に沿って横方向に第４、第５の吹出口群８ｄ、８ｅを配置していて、これらの吹出口群８ｄ、８ｅから上方に空気を吹き出す構成としている。
【００２４】
図に示すように、第２、第３の吹出口群８ｂ、８ｃと、第４、第５の吹出口群８ｄ、８ｅは吹出方向が交叉しないように、第４、第５の吹出口群８ｄ、８ｅの方が第２、第３の吹出口群８ｂ、８ｃよりも床部２の外側に配置されるようにずらしている。勿論、これと逆方向のずらし方も可能である。
【００２５】
図３、図４に示すように、吹出口群８ａ〜８ｅは、上記した方向に配置したダクト１０の長さ方向に沿って吹出口８を設けた構成であり、これらのダクト１０はベッド１の適所に構成した空気供給源１１に接続した構成としている。尚、図４では空気供給源１１は一つのみをベッドフレーム３に設置した構成を示しているが、空気供給源の設置数や設置場所は適宜に設定することができる。例えばヘッドボード６（又はフットボード７）の吹出口群８ａ〜８ｃに対しては空気供給源をヘッドボード６（又はフットボード７）自体に設けることもできるし、同じ吹出口群８ａ〜８ｅの夫々の複数の吹出口８に対して、適数毎、例えば５個の吹出口８毎に夫々空気供給源を設けることもできる。更に、空気供給源１１はベッド１の外部に設けることもできる。
【００２６】
符号１２は操作・表示パネルであり、図５は操作・表示パネル部の一例を示す説明図である。符号１３は主電源スイッチ、１４は温度上昇・下降操作や、メニュー選択操作等に使用する操作スイッチ、１５は暖房、冷房等のメニューを選択、表示するためのモードスイッチ、１６は動作・設定状態表示部である。
【００２７】
尚、ベッド１の構成は上述したものの他、適宜であり、例えば図１、図３、図４に示すように脚１７を設けた構成としたり、その他の図に示すように脚を設けない構成とすることもできる。
【００２８】
以上の構成において、空気供給源１１を動作させて第１の吹出口群８ａ、第２の吹出口群８ｂ、第３の吹出口群８ｃ、第４の吹出口群８ｄ及び第５の吹出口群８ｅから空気を吹き出すと、ヘッドボード６の上部内面側の横方向に配置した第１の吹出口群８ａの夫々の吹出口８からフットボード７方向に水平方向に吹き出される空気により、床部２の上方にエアーカーテンが形成される。また、ヘッドボード６の側部内面側に縦方向に配置した第２、第３の吹出口群８ｂ、８ｃの吹出口８からフットボード７方向に水平方向に吹き出される空気により、床部２の両側の側方にエアーカーテンが形成される。更にベッド１の床部２の側縁側に横方向に配置した第４、第５の吹出口群８ｄ、８ｅの夫々の吹出口８から、上記第２、第３の吹出口群８ｂ、８ｃの吹出口８から吹き出される空気とは外側にずれた位置において上方に吹き出される空気によっても床部２の両側の側方にエアーカーテンが形成される。
【００２９】
こうしてベッドの床部の上方に、温熱的及び／又は冷熱的（以下、「温（冷）熱的」と記載する。）に外部から隔離されて熱損失の低い空間を形成することができる。従ってこのエアーカーテンによって形成された空間内に適宜の温（冷）熱供給手段により温（冷）熱を供給することにより、少ないエネルギーで、ベッド１の床部２の上方に快適な温（冷）熱環境を構成することができる。
【００３０】
この実施例では、エアーカーテンによって形成された空間内に温（冷）熱を供給する手段としては、上述したようにヘッドボードとフットボードの内面側に設けた面熱源９としているので、ベッド使用者に対しては、その輻射熱と近傍に生じる自然対流によって温（冷）熱を供給することができる。
【００３１】
従って、従来のように温風又は冷風を枕元に供給するための送風機のような回転機器が不要であり、従ってこれによる騒音の発生がなく、快適な睡眠に不可欠な静音性を確保することができると共に、強制対流による温風又は冷風が直接的に身体に当たらないため不快感を感じさせない。
【００３２】
例えば暖房期においては、エアーカーテンにより冷気の侵入を防止することができるので、面熱源の表面温度が３０度前後の比較的低い温度においても十分な暖房効果を期待することができ、ヘッドボード６側とフットボード７側の面熱源９の温度を異ならせて制御することもでき、より多様なベッド使用者の要望に応えることが可能である。例えば、ベッド使用者が冷え性を有している場合には、冷え性の発生原因を考慮した制御を行い、上半身と下半身の温度差を低減させるような制御を行うことができる。
【００３３】
一方、冷房期においては、エアーカーテンにより熱気の侵入を防止することができるので、面熱源の表面温度としては、体温よりも少し低い温度を設定することにより、ベッド使用者に優しく冷熱を与えることができる。
【００３４】
尚、ヘッドボード６の第１の吹出口群８ａの空気の吹出方向を上下方向に可変に構成し、その吹出方向を斜め下方に向けることにより、ベッド使用者の上半身側から下半身側に渡って風を当てるように動作させることもできる。
【００３５】
上記面熱源９としては、上述したようにセラミックヒータや電熱線を装置したパネル状に構成した温熱パネル等を利用することができ、また温熱と冷熱の両方の面熱源９としては、作動流体としての水（温水又は冷水）やその他の冷媒を流すパイプを装置してパネル状に構成した温冷熱パネルや、ペルチェ素子等の熱電素子を装置してパネル状に構成した温冷熱パネルを利用することができるのであるが、そのエネルギーとしては商用電気は勿論のこと、自然エネルギーを利用することができる。
【００３６】
例えば、面熱源９として、作動流体としての水（温水又は冷水）やその他の冷媒を流すパイプを装置してパネル状に構成した温冷熱パネルを用いる場合、蓄熱槽を利用して、温冷熱パネルに流す作動流体を蓄熱槽との間に循環させることができる。この構成においては、蓄熱運転過程と蓄熱利用運転過程を設定し、蓄熱運転過程においてボイラや燃料電池、ヒートポンプあるいは太陽熱温水器等を利用して、蓄熱槽内の蓄熱体に温（冷）熱を蓄熱し、次いで蓄熱利用運転過程において、上記蓄熱槽内の温（冷）熱を熱媒体により温冷熱パネルに供給し、放熱して利用することができる。この場合、冷房期に必要な冷熱としては、夜間における放射冷却等の自然エネルギーを利用することもでき、これと商用電源等を組み合わせてハイブリッド運転を行うこともできる。
【００３７】
上述した蓄熱槽は、本発明のベッド装置に専用の装置として構成することもできるが、家庭や病院等における暖冷房給湯システムと統合したシステムの一部として構成することもできる。
【００３８】
以上の面熱源９は、表面の温度を数点に配置した温度センサにより検出して、その平均値で温度制御を行う他、夫々の点における温度の上限を設定して、上限の制御を行うことにより、やけどや火災の発生を防止することができる。
【００３９】
尚、この実施例においては、上述したとおり、マットレス５等はベッドフレーム３に形成した凹部４に嵌めて載置する構成としているため、面熱源９の放熱面からの距離を十分にとることができ、こうして、やけどや火災の発生の防止効果を高めることができる。
【００４０】
次に、吹出口群８ａ〜８ｅの夫々の吹出口８からの空気の吹出しの態様について説明する。
エアーカーテンを形成するための吹出口群８ａ〜８ｅの夫々の吹出口８からの空気の吹出しのＯＮ／ＯＦＦは、上述したような操作・表示パネル１２の主電源スイッチ１３によって行うことを基本とするが、この他、例えば入床時や離床時に吹き出す空気がベッド使用者に当たることを防止するために、ベッド使用者の床部２上の姿勢を判断してＯＮ／ＯＦＦを行わせることも可能である。
【００４１】
即ち、ベッド使用者がベッドから起き上がって端座位等になった場合には、それをいわゆる離床センサ等の姿勢検出センサにより検出して、ＯＦＦとするように制御することもできる。
【００４２】
本発明においては、吹出口群８ａ〜８ｅの夫々の吹出口８からの空気の吹出しは、ベッド使用者が就寝している間中継続することにより、温（冷）熱環境を維持することを基本とするので、吹出口群８ａ〜８ｅの夫々の吹出口８、特に第４、第５の吹出口群８ｄ、８ｅは、ベッド使用者が寝返りをうった際等に、空気の吹出しが阻害されないような位置に予め設定することが必要である。このことにより、ベッド使用者の就寝時における快適性を効果的に保持することができる。
【００４３】
逆に、第４、第５の吹出口群８ｄ、８ｅの夫々の吹出口８から吹き出す空気を利用し、ベッド使用者の身体が床部２の側縁側に至った際に、吹き出す空気により身体を刺激することにより、ベッド使用者のベッドからの転落を防止するように制御することもできる。
【００４４】
また吹出口群８ａ〜８ｅの夫々の吹出口８からの空気の吹出しを利用して、目覚まし機能を持たせることもできる。この場合には、吹出口８からの空気を、ベッド使用者の顔や手足等の寝具から出ていると考えられる部位に当てることにより、目覚まし効果を大きくすることができ、この際、吹出口８から吹き出す空気の風圧を変化させることもできる。
【実施例２】
【００４５】
次に本発明においてエアーカーテンを形成するための吹出口群の配置の他の実施例を説明する。
まず図６は実施例２を示すもので、この実施例２では、実施例１における第２、第３の吹出口群８ｂ、８ｃを省略し、ヘッドボード６の上部内面側に横方向に配置した第１の吹出口群８ａと、ベッドフレーム３の側縁側に長さ方向に沿って横方向に配置した第４、第５の吹出口群８ｄ、８ｅの夫々の吹出口８から吹き出す空気によりエアーカーテンを形成するものとしている。その他の構成は、実施例１と同様であり、動作は自明であるので、対応する要素の符号を同一として重複する説明は省略する。
【実施例３】
【００４６】
次に図７は実施例３を示すもので、この実施例３では、実施例１における第４、第５の吹出口群８ｄ、８ｅを省略し、ヘッドボード６の上部内面側に横方向に配置した第１の吹出口群８ａと、側部内面側に縦方向に配置した第２、第３の吹出口群８ｂ，８ｃの夫々の吹出口８から吹き出す空気によりエアーカーテンを形成するものとしている。その他の構成は、実施例１と同様であり、動作は自明であるので、対応する要素の符号を同一として重複する説明は省略する。
【実施例４】
【００４７】
次に図８は実施例４を示すもので、この実施例４では、実施例１における第１〜５の吹出口群８ａ〜８ｅに加えて、フットボード７の上部内面側に第６の吹出口群８を横方向に配置すると共に、側部内面側に縦方向に、上記第４、第５の吹出口群８ｄ、８ｅの外側に対応して第７、第８の吹出口群８ｇ，８ｈを縦方向に配置し、これらの第１、第６の吹出口群８ａ、８ｆの吹出口８から吹き出す空気によりベッド１の床部２の上方にエアーカーテンを形成すると共に、第２〜第５の吹出口群８ｂ〜８ｅ、第７、第８の吹出口群８ｇ，８ｈの吹出口８から吹き出す空気により、床部２の側方にエアーカーテンを形成するものとしている。その他の構成は、実施例１と同様であり、動作は自明であるので、対応する要素の符号を同一として重複する説明は省略する。
【実施例５】
【００４８】
次に図９は実施例５を示すもので、この実施例５では、実施例４における第７、第８の吹出口群８ｇ，８ｈを省略し、第１、第６の吹出口群８ａ、８ｆの吹出口８から吹き出す空気によりベッド１の床部２の上方にエアーカーテンを形成すると共に、第２〜第５の吹出口群８ｂ〜８ｅの吹出口８から吹き出す空気により、床部２の側方にエアーカーテンを形成するものとしている。その他の構成は、実施例４と同様であり、動作は自明であるので、対応する要素の符号を同一として重複する説明は省略する。
【００４９】
尚、ヘッドボード６及びフットボード７の夫々の大きさは、エアーカーテンを形成する位置等に応じて適宜に設定することができる。例えば、ヘッドボード６側にのみ吹出口群を設ける構成の場合、それから吹き出される空気がフットボード７に当たる場合には、フットボード７の大きさをヘッドボードよりも一回り小さくする等の対策を施すこともできる。
【００５０】
また実施例を示す図１、図２、図６〜図９では、いずれもヘッドボード６とフットボード７の両方側に面熱源９を設けた例を描いているが、面熱源９は、ヘッドボード６とフットボード７のいずれか一方側にのみ設けても良いことは上述したとおりである。
【産業上の利用可能性】
【００５１】
本発明は以上の通りであるので、産業上の利用において、次のような利点がある。
１．本発明のベッド装置では、ベッド使用者に温（冷）熱を供給する手段として、ヘッドボードとフットボードの少なくとも一方側の内面側に面熱源を設けているので、温（冷）風を枕元に供給するためのコンプレッサのような空調装置の構成要素をベッド使用者の頭部の近傍に設置することが不要であり、従ってその動作音による騒音の問題がなく、快適な睡眠に不可欠な静音性を確保することができると共に、強制対流による温（冷）風が直接的に身体に当たらないため不快感を感じさせない。
【００５２】
２．また本発明のベッド装置では、吹出口群によりベッドの床部の上方と側方に空気を吹き出してエアーカーテンを形成することにより、ベッドの床部の上方に、温（冷）熱的に外部から隔離された空間を形成することができる。従ってこのエアーカーテンによって形成された空間内に適宜の温（冷）熱供給手段により温（冷）熱を供給した場合に、熱損失が少ないため、少ないエネルギーで、ベッドの床部の上方に快適な温（冷）熱環境を構成することができる。
【００５３】
３．エアーカーテンによりベッドの床部上に温（冷）熱的に外部から隔離されて熱損失の少ない局所空間を形成するので、病院や施設等における多床室においても各ベッドに対して個別の空調が可能となる。従って、建物全体の空調温度を控えめに設定することが可能となり、大幅な省エネルギー効果が期待できる。また看護士等の作業している人と、ベッド使用者との体感温度差を考慮した快適空間を同一建物内に構築することができる。
【００５４】
４．面熱源をヘッドボードとフットボードの両方側に設けた場合、これらの面熱源をヘッドボード側とフットボード側で個々に温度制御を行うことができるので、冷え性対策を講ずることもできる。
【００５５】
５．ベッドの床部上の上記空間と外部との温度差を維持することにより、ベッド使用者は、掛布団による保温効果の必要性が低減するため、布団を軽量のものにすることができ、布団の重量による腰痛等の弊害を抑制することが期待できる。
【図面の簡単な説明】
【００５６】
【図１】本発明の実施例１の主要な構成を示す斜視図である。
【図２】本発明の実施例１の使用状態の斜視図である。
【図３】図２のＡ−Ａ線断面図である。
【図４】図３のＢ−Ｂ線一部断面図である。
【図５】操作・表示パネル部の一例図である。
【図６】本発明の実施例２の使用状態の斜視図である。
【図７】本発明の実施例３の使用状態の斜視図である。
【図８】本発明の実施例４の使用状態の斜視図である。
【図９】本発明の実施例５の使用状態の斜視図である。
【符号の説明】
【００５７】
１            ベッド
２            床部
３            ベッドフレーム
４            凹部
５            マットレス等
６            ヘッドボード
７            フットボード
８ａ          第１の吹出口群
８ｂ          第２の吹出口群
８ｃ          第３の吹出口群
８ｄ          第４の吹出口群
８ｅ          第５の吹出口群
８ｆ          第６の吹出口群
８ｇ          第７の吹出口群
８ｈ          第８の吹出口群
９            面熱源
１０          ダクト
１１          空気供給源
１２          操作・表示パネル
１３          主電源スイッチ
１４          モードスイッチ
１５          操作スイッチ
１６          動作・設定状態表示部
１７          脚
【図１】
2006043333.tif 000003
【図２】
2006043333.tif 000004
【図３】
2006043333.tif 000005
【図４】
2006043333.tif 000006
【図５】
2006043333.tif 000007
【図６】
2006043333.tif 000008
【図７】
2006043333.tif 000009
【図８】
2006043333.tif 000010
【図９】
2006043333.tif 000011